(57)【特許請求の範囲】
【請求項１】
一端に水、湯、または混合水の吐出・止水機能と流量調整機能を有する切替ハンドルを設けるとともに、他端に混合水の温度調節機能を有する温調ハンドルを設けた筒状の水栓本体の内部に、前記切替ハンドルと接続可能な切替ユニットと、前記温調ハンドルと接続可能な温調ユニットとが装入される一方、前記温調ユニットの端部は、前記切替ユニットの端部に接続可能に構成され、また、前記水栓本体は、湯配管に連通するよう湯配管用継手が着脱可能に装着された湯接続口と、水配管に連通するよう水配管用継手が着脱可能に装着された水接続口を有するとともに、吐水管用継手が着脱可能に装着された水、湯、または混合水の吐水管接続口およびシャワーホース用継手が着脱可能に装着されたシャワーホース接続口を有し、更に、前記切替ユニットは、前記吐水管接続口に連通する連通穴と前記シャワーホース接続口に連通する連通穴を有するとともに、前記切替ユニットは、前記各連通穴に連通する固定穴を有する筒状の固定部材と、前記切替ハンドルの切替操作により前記水栓本体の軸心のまわりで前記固定部材内を回動し、それによって、水、湯、または混合水の流路を前記固定穴および連通穴を介して前記吐水管接続口またはシャワーホース接続口に連通させる切欠穴を胴部に有する筒状の回動部材とを有する弁機構を備え、各前記連通穴および各前記固定穴は、前記回動部材の回動軸と直交する同一平面上に位置していることを特徴とするサーモ型湯水混合水栓。
【請求項２】
前記吐水管接続口および前記シャワーホース接続口は前記平面上に位置している請求項１に記載のサーモ型湯水混合水栓。
【請求項３】
前記切替ユニットは、外ケースと、この外ケース内に設けられ前記弁機構を内蔵する内ケースとを備え、前記外ケース及び前記内ケースに設けられた連通穴部分によって各前記連通穴が構成されている請求項１または２に記載のサーモ型湯水混合水栓。
【発明の詳細な説明】
【技術分野】
【０００１】
この発明は、例えば３４ｍｍの外径を持つ水栓本体を備えたサーモ型湯水混合水栓に関するものである。
【背景技術】
【０００２】
例えば浴室の洗い場に位置する壁の下部に、切替コックの切替操作により吐水管接続口またはシャワーホース接続口に切り替えて水、湯、または混合水を吐水管またはシャワーホースに供給するサーモ型湯水混合水栓が横置き状態で設置されている。この水栓は、筒状の水栓本体内に温度調整手段が組み込まれて給湯温度の調整が行われるものである。すなわち、温度調整手段は、給水側通路と給湯側通路にサーモバルブ本体を介して連通する混合通路を備えており、この温度調整手段で温調された混合水は水栓本体の軸心方向に沿って延びる環状通路から弁機構を介して前記吐水管接続口、または、シャワーホース接続口へ供給されたり、混合水の供給停止がおこなわれたりする。
【０００３】
前記弁機構として、切替ハンドルの回動操作に連動して切替ハンドル軸とともに回動する可動ディスクと固定ディスクが用いられている。この両ディスクは、水栓本体の軸心と同軸になるよう水栓本体内に配置されている。
【発明の開示】
【発明が解決しようとする課題】
【０００４】
ところで、前記可動ディスクと前記固定ディスクは共にセラミック製であるため高価である。また、切替ハンドルの回動操作によって前記可動ディスクが回動し、この可動ディスクと前記固定ディスクに設けた長孔が整合することで前記環状通路から混合水を供給できるが、前記長孔を両ディスク内に形成するため、両ディスクが大径とならざるを得なかった。そのため、水栓本体の外径は例えば４６ｍｍとなり、前記外径をこれ以上短くすることはできず、サーモ型湯水混合水栓をコンパクト化する際の障害となっていた。
【０００５】
一方、浴室内での動作を補助する目的で浴槽側のみならず洗い場側の壁にも手すりが設置されているが、ただでさえ狭い浴室の洗い場が前記手すりに邪魔されて狭くなる上に前記手すりに体が当たることがあった。
【０００６】
そのため、筒状の前記水栓本体をストレートに横方向に長く形成して手すりに兼用することが考えられるが、弁機構として前記両ディスクを用いている限り水栓本体の外径を浴室に設置される手すりとして規格に合った例えば３４ｍｍに設定するのは難しい。
【０００７】
この発明は、例えば３４ｍｍの外径を持つ水栓本体を備えたコンパクトで安価なサーモ型湯水混合水栓を提供することを目的とする。
【課題を解決するための手段】
【０００８】
上記目的を達成するために、この発明のサーモ型湯水混合水栓は、一端に水、湯、または混合水の吐出・止水機能と流量調整機能を有する切替ハンドルを設けるとともに、他端に混合水の温度調節機能を有する温調ハンドルを設けた筒状の水栓本体の内部に、前記切替ハンドルと接続可能な切替ユニットと、前記温調ハンドルと接続可能な温調ユニットとが装入される一方、前記温調ユニットの端部は、前記切替ユニットの端部に接続可能に構成され、また、前記水栓本体は、湯配管に連通するよう湯配管用継手が着脱可能に装着された湯接続口と、水配管に連通するよう水配管用継手が着脱可能に装着された水接続口を有するとともに、吐水管用継手が着脱可能に装着された水、湯、または混合水の吐水管接続口およびシャワーホース用継手が着脱可能に装着されたシャワーホース接続口を有し、更に、前記切替ユニットは、前記吐水管接続口に連通する連通穴と前記シャワーホース接続口に連通する連通穴を有するとともに、前記切替ユニットは、前記各連通穴に連通する固定穴を有する筒状の固定部材と、前記切替ハンドルの切替操作により前記水栓本体の軸心のまわりで前記固定部材内を回動し、それによって、水、湯、または混合水の流路を前記固定穴および連通穴を介して前記吐水管接続口またはシャワーホース接続口に連通させる切欠穴を胴部に有する筒状の回動部材とを有する弁機構を備え、各前記連通穴および各前記固定穴は、前記回動部材の回動軸と直交する同一平面上に位置していることを特徴とする。
【発明の効果】
【０００９】
この発明では、切替ユニットに備わっている弁機構を、筒状の固定部材とこの固定部材内を回動する筒状の回動部材とで構成し、前記筒状の回動部材の胴部に切欠穴を設け、この切欠穴に従来の可動ディスクおよび固定ディスク内に設けた長孔と同じ機能を持たせている。そのため、従来の可動ディスクおよび固定ディスクの外径に比べて、この発明の前記回動部材の外径を小径にでき、ひいては水栓本体の外径を例えば３４ｍｍと小径にできる。すなわち、この発明では、例えば３４ｍｍの外径を持つ水栓本体を備えたコンパクトで安価なサーモ型湯水混合水栓を提供することができる。
よって、前記サーモ型湯水混合水栓から手すり型水栓へ取替えることができるようになった。すなわち、ただでさえ狭い浴室が手すりに邪魔されて狭くなる上に手すりに体が当たることがあるといった事態を回避できるとともに、浴室の壁に新たに手すりを設ける必要がなくなり、浴室のスペースを有効に活用できるとともに、手すりに体が当たるといった事態も回避できバリアフリーとしても有効である。
【発明を実施するための最良の形態】
【００１０】
以下にこの発明の実施の形態について説明する。なお、この発明はそれによって限定されるものではない。
【００１１】
図１〜図３は、例えば３４ｍｍの外径を持つ筒状の水栓本体を備えたこの発明の一実施形態を示す。
【００１２】
図１〜図３において、１は、３４ｍｍの外径Ｈを持つ筒状の水栓本体で、一端に水、湯、または混合水の吐出・止水機能と流量調整機能を有する切替ハンドル２を設けるとともに、他端に混合水の温度調節機能を有する温調ハンドル３を設けてある。前記水栓本体１は、一端に切替ユニット装入用の開口１ａを有する一方、他端に温調ユニット装入用の開口１ｂを有する。
【００１３】
４は、前記切替ハンドル２と接続可能な切替ユニットで、前記開口１ａを介して水栓本体１の内部に水栓本体１の軸心Ａと同軸になるよう装入配置される。
【００１４】
５は、前記温調ハンドル３と接続可能な温調ユニットで、前記開口１ｂを介して水栓本体１の内部に水栓本体１の軸心Ａと同軸になるよう装入配置される。
【００１５】
また、前記温調ユニット５の端部５ａは、Ｏリング６を介して前記切替ユニット４の端部４ａに接続可能に構成されている。この実施形態では前記端部４ａ内に前記端部５ａが着脱可能に嵌込まれている。
【００１６】
更に、前記水栓本体１は、湯配管（図示せず）に連通するよう湯配管用継手７が着脱可能に装着された湯接続口８と、水配管（図示せず）に連通するよう水配管用継手９が着脱可能に装着された水接続口１０と、Ｌ字型のシャワーホース用継手１１が着脱可能に装着されたシャワーホース接続口１２とを背面側に有するとともに、下面側に、吐水管用継手１３が着脱可能に装着された水、湯、または混合水の吐水管接続口１４を有する。
【００１７】
１５は、切替ユニット４の外ケースで、筒状である。この外ケース１５は、筒状の水栓本体１の内壁に０リングなどのシール部材１５ａを介して固定されている。
【００１８】
１７は、切替ユニット４の内ケースで、筒状である。この内ケース１７は、外ケース１５の内壁に０リングなどのシール部材１７ａを介して固定されている。１６は、外ケース１５に設けた連通穴部分で、シャワーホース接続口１２に連通する。また、１８は、内ケース１７に設けた連通穴部分で、前記連通穴部分１６に連通する。つまり、連通穴部分１６，１８でシャワーホース接続口１２に連通する連通穴が構成される。
一方、１６ａは、外ケース１５に設けた連通穴部分で、吐水管接続口１４に連通する。また、１８ａは、内ケース１７に設けた連通穴部分で、前記連通穴部分１６ａに連通する。つまり、連通穴部分１６ａ，１８ａで吐水管接続口１４に連通する連通穴が構成される。そして、内ケース１７は、連通穴部分１８と連通穴部分１８ａを中心角で９０°離れた状態で胴部に有する。
【００１９】
切替ユニット４は、水、湯、または混合水を吐水管接続口１４、または、シャワーホース接続口１２へ供給したり、供給停止したりする開閉機能を持つ弁機構（後述する）を前記内ケース１７の内部に有する。
【００２０】
２０は、水栓本体１と、水栓本体１と同径の筒状の切替表示リング体２１とを接続する接続部材で、水栓本体１の前記開口１ａを形成する内周端面に設けた雌ねじ２２に螺合する雄ねじ部２３と、切替表示リング体２１を外嵌させる嵌合部２４とを有する。
【００２１】
一方、前記温調ユニット５は、サーモワックスを内蔵したサーモエレメント２５とピストン２６を具備し、そのサーモエレメント２５が混合水の温度を感温するとサーモワックスが膨張してピストン２６を押し出し、サーモバルブ本体３２の位置を変化させることにより、給水側通路２７と給湯側通路２８のすき間が調整されるようになっており、温調ハンドル３によって混合水の温度を任意に設定することができる。
【００２２】
温調ユニット５の自動温度調節動作は以下の通りである。
温調ハンドル３を水栓本体１の軸心Ａまわりに回動させて所定温度に設定すると、湯と水が湯水混合室Ｓで混合され、所定温度の混合水が吐水管またはシャワーホースへ流れる。
【００２３】
そして、混合水の温度が所定温度より上昇した場合、これをサーモエレメント２５が感温してサーモエレメント２５内のサーモワックスが膨張してサーモエレメント２５を温調ハンドル３の側に移動させ、サーモバルブ本体３２が給湯側通路２８を狭めて給水側通路２７を広げる。これにより、混合水の温度が下がり、所定温度に調節できる。一方、混合水の温度が所定温度より降下した場合、これをサーモエレメント２５が感温してサーモエレメント２５内のサーモワックスが収縮してサーモエレメント２５を切替ハンドル２の側に移動させサーモバルブ本体３２が給湯側通路２８を広げて給水側通路２７を狭める。これにより、混合水の温度が上がり、所定温度に調節できる。
【００２４】
また、サーモエレメント２５は、温調ユニット５の外ケース４０内に固定設置されている。
【００２５】
４１は、水栓本体１と、水栓本体１と同径の筒状の温調表示リング体４２とを接続するとともに、弁体４３を内蔵した温調ガイド体で、水栓本体１の前記開口１ｂを形成する内周端面に設けた雌ねじ２２’に螺合する雄ねじ部４４と、温調表示リング体４２を外嵌・係止させる嵌合係止部４５とを有する。なお、４６は、温調ハンドル３および温調表示リング体４２間に介装されたリング体で、図３において図示していない。
【００２６】
以下、この発明の特徴的構成について説明する。
【００２７】
切替ユニット４の前記内ケース１７に内蔵した弁機構は、水栓本体１の軸心Ａまわりに回動して水、湯、または混合水の流路を吐水管接続口１４またはシャワーホース接続口１２に連通させる金属製で筒状の回動部材５０と、この回動部材５０の胴部５０ａを覆うゴム製で筒状の固定部材５１とよりなる。回動部材５０と固定部材５１は、切替ユニット４内において水栓本体１の軸心Ａに中心を一致させた状態で設置されている。
【００２８】
前記固定部材５１は、内ケース１７に設けた連通穴部分１８および連通穴部分１８ａにそれぞれ嵌合する固定穴部５３，５３ａを有する状態で内ケース１７の内周面に沿って固定されている。
【００２９】
更に、前記回動部材５０は、切替ハンドル２と回動部材５０を接続する切替ハンドル軸５６とともに回転するよう構成されている。この回動部材５０は、前記胴部５０ａの中央を円周方向に１８０°切欠いて形成されてなる切欠穴５７を有する。  
【００３０】
この切欠穴５７は、切替ハンドル２の切替え操作により前記連通穴部分１８および連通穴部分１８ａのいずれかに連通する。図２は、切欠穴５７が、連通穴部分１８および連通穴部分１８ａのいずれにも連通しない状態を示す。
【００３１】
而して、この発明の弁機構は、筒状の回動部材５０の胴部５０ａの円周方向に沿って所定の大きさの切欠穴５７を設けたので、所定の大きさの連通用長孔が内側に形成されていた可動ディスク、固定ディスクに比して回動部材５０の外径ｒを小径にでき、ひいては水栓本体１の外径Ｒを３４ｍｍと小径にできる。このため、サーモ型湯水混合水栓をコンパクト化できる。
また、回動部材５０は金属製であるので、セラミック製の可動ディスクに比して安価である。また、固定部材５１はゴム製であるので、セラミック製の固定ディスクに比して安価である。なお、固定部材５１をゴム製としたのは、金属製の回動部材５０が回動し易いためである。
【００３２】
そのため、前記サーモ型湯水混合水栓の構成部材を利用して手すり型水栓へ取替えることができるようになった。以下、図４、図５を用いて前記サーモ型湯水混合水栓から手すり型水栓へ取替える水栓取替方法について説明する。なお、図４、図５において、図１〜図３に示す符号と同一のものは同一または相当物である。    
【００３３】
図４、図５において、手すり型水栓の水栓本体６０は、ストレートに横方向に長く、内部に接続管６１を有し外径Ｈが３４ｍｍに設定された第１の水栓本体部分６０Ｃと、温調ユニット５を内蔵し外径が３４ｍｍに設定された第２の水栓本体部分６０Ｂと、切替ユニット４を内蔵し外径が３４ｍｍに設定された第３の水栓本体部分６０Ａとよりなる。水栓本体部分６０Ｃ，６０Ｂ，６０Ａの軸心Ａ’は一致している。接続管６１は、軸心Ａ’と同軸になるよう水栓本体部分６０Ｃ内に設置される。
【００３４】
第１の水栓本体部分６０Ｃは、外表面に薄くコーティングされたエラストマー樹脂よりなるスベリ止め部材６２を有し、手すりとして機能する。なお、前記スベリ止め部材６２をシリコン系のゴム材で構成してもよい。また、前記スベリ止め部材６２を軟質塩化ビニール等の樹脂よりなる半硬質部材で構成してもよい。    
【００３５】
第１の水栓本体部分６０Ｃと第３の水栓本体部分６０Ａはねじ結合されている。また、第１の水栓本体部分６０Ｃと第２の水栓本体部分６０Ｂもねじ結合されている。
【００３６】
第１の水栓本体部分６０Ｃの内部に設けられている前記接続管６１は、切替ユニット４の端部４ａと温調ユニット５の端部５ａとを接続するよう構成されている。
【００３７】
すなわち、前記接続管６１は、一方端にオス型接続金具８９を有するとともに、他方端にメス型接続金具９３を有し、前記オス型接続金具８９が切替ユニット４の前記外ケース１５の端部４ａに内嵌される一方、前記メス型接続金具９３が前記温調ユニット５の外ケース４０の端部５ａに外嵌されている。更に、前記端部は５ａは前記端部４ａに内嵌可能に構成されている。
切替ユニット４は、第３の水栓本体部分６０Ａの内部に水栓本体部分６０Ａの軸心Ａ’と同軸になるよう装入配置される。また、温調ユニット５は、第２の水栓本体部分６０Ｂの内部に水栓本体部分６０Ｂの軸心Ａ’と同軸になるよう装入配置される。
【００３８】
また、前記接続金具８９の他端における外周面と接続管６１の一端における内周面とが溶接により接続されている。９０は、その溶接部分である。
一方、前記接続金具９３の他端における内周面と接続管６１の他端における外周面とが溶接により接続されている。９４は、その溶接部分である。
【００３９】
而して、上記実施形態のサーモ型湯水混合水栓の構成部材を利用して手すり型水栓へ取替えるには、前記サーモ型湯水混合水栓の前記水栓本体１（図３参照）から湯配管用継手７、水配管用継手９、シャワーホース用継手１１および吐水管用継手１３をそれぞれ取り外し、図４に示すように、温調ハンドル３が取り付けられるとともに前記温調ユニット５が装入される第２の水栓本体部分６０Ｂに前記湯配管用継手７を接続し、前記切替ハンドル２が取り付けられるとともに前記切替ユニット４が装入される第３の水栓本体部分６０Ａに前記水配管用継手９、シャワーホース用継手１１および吐水管用継手１３を接続し、前記接続管６１の両端を前記温調ユニット５の端部５ａおよび前記切替ユニット４の端部４ａに接続する。これにより、外径Ｈが浴室やシャワルームに設置される手すりとして規格に合った例えば３４ｍｍに設定してある水栓本体６０を備えた手すり型水栓へ取替えできる。
【００４０】
また、第１の水栓本体部分６０Ｃと第３の水栓本体部分６０Ａのねじ結合を解除するとともに、切替ユニット４の端部４ａからオス型接続金具８９を引き抜く一方、第１の水栓本体部分６０Ｃと第２の水栓本体部分６０Ｂのねじ結合を解除するとともに、温調ユニット５の端部５ａからメス型接続金具９３を引き抜いた後には、温調ユニット５の端部５ａを切替ユニット４の端部４ａに内嵌させることで手すり型水栓からサーモ型湯水混合水栓に簡単に取替えできる。
【図面の簡単な説明】
【００４１】
【図１】この発明の一実施形態を示す横断面図である。
【図２】上記実施形態における要部の縦断面図である。
【図３】上記実施形態を示す分解斜視図である。
【図４】手すり型水栓を示す分解斜視図である。
【図５】上記手すり型水栓を示す横断面図である。
【符号の説明】
【００４２】
１                          水栓本体
２                          切替ハンドル
３                          温調ハンドル
４                          切替ユニット
５                          温調ユニット
１２                        シャワーホース接続口
１４                        吐水管接続口
１６，１８，１６ａ，１８ａ  連通穴
５０                        回動部材
５０ａ                      胴部
５１                        固定部材
５３，５３ａ                固定穴
５７                        切欠穴
【図１】
0004700420.tif 000002
【図２】
0004700420.tif 000003
【図３】
0004700420.tif 000004
【図４】
0004700420.tif 000005
【図５】
0004700420.tif 000006